(57)【要約】【課題】ストッパを構成するカバー側凸部と回転体側凸部との間に氷が挟まれても、カバーと回転体との氷を介しての固着の発生を抑制することのできるダンパ装置を提供すること。【解決手段】ダンパ装置１では、回転駆動部の回転出力を、送りねじ機構７０を備えた回転直動変換機構７を介してカバー２に伝達し、カバー２を支持体６に対して直線移動させて冷気通路の開度を切り換える。また、カバー２のカバー側凸部２９と、回転体３の回転体側凸部３９によってストッパ４が構成されており、カバー側凸部２９と回転体側凸部３９とが接近した際、カバー側凸部２９と回転体側凸部３９との間からは、氷逃がし部９を通って氷が排出される。【選択図】図１
2015200476.tif 000002
【特許請求の範囲】
【請求項１】
支持体と、
該支持体に支持された回転駆動部と、
該回転駆動部によって回転駆動される回転体と、
該回転体が内側に配置された回転体配置穴を備え、冷気通路の開度を切り換えるカバーと、
前記回転体の外周面と前記回転体配置穴の内周面との間に構成された送りねじ機構を備え、前記回転体の回転動作を前記カバーの前記回転体の中心軸線方向の直動動作に変換する回転直動変換機構と、
前記カバーにおいて前記回転体配置穴の内周面より径方向内側に突出したカバー側凸部、および前記回転体から径方向外側に突出して前記カバー側凸部に対して前記中心軸線周りの一方側から当接可能な回転体側凸部を備えたストッパと、
前記カバーにおいて前記回転体側凸部の前記中心軸線周りの一方側の端部に対する径方向外側で前記カバー側凸部と前記回転体側凸部とが接近した際に前記カバー側凸部と前記回転体側凸部との間から氷を逃がすカバー側氷逃がし部、および前記回転体において前記回転体側凸部の前記中心軸線周りの他方側の端部に対する径方向内側で前記カバー側凸部と前記回転体側凸部とが接近した際に前記カバー側凸部と前記回転体側凸部との間から氷を逃がす回転体側氷逃がし部のうちの少なくとも一方を含む氷逃がし部と、
を有することを特徴とするダンパ装置。
【請求項２】
前記氷逃がし部は、前記カバー側氷逃がし部および前記回転体側氷逃がし部の双方を含むことを特徴とする請求項１に記載のダンパ装置。
【請求項３】
前記カバーには、前記中心軸線方向の先端側で前記回転体配置穴の開口縁に沿って延在するカバー側突条部が形成されており、
前記カバー側凸部は、前記カバー側突条部から径方向内側に突出し、
前記カバー側氷逃がし部は、前記カバー側突条部に形成された切り欠きからなるカバー側氷逃がし口を備えていることを特徴とする請求項１または２に記載のダンパ装置。
【請求項４】
前記カバー側氷逃がし口は、周方向の寸法が径方向内側より径方向外側で大であることを特徴とする請求項１または２に記載のダンパ装置。
【請求項５】
前記カバー側凸部の前記一方側の端部は、前記回転体側凸部と当接可能なカバー側当接部と、該カバー側当接部より径方向外側で径方向外側に向くカバー側傾斜面と、を備えていることを特徴とする請求項４に記載のダンパ装置。
【請求項６】
前記カバー側傾斜面は、前記カバー側氷逃がし口の前記他方側の面と連続した傾斜面を構成していることを特徴とする請求項５に記載のダンパ装置。
【請求項７】
前記カバー側当接部の径方向の寸法は、前記傾斜面の径方向の幅寸法より小であることを特徴とする請求項６に記載のダンパ装置。
【請求項８】
前記回転体には、前記先端側の端面の外縁に沿って延在する回転体側突条部が形成されており、
前記回転体側凸部は、前記回転体側突条部から径方向外側に突出し、
前記回転体側氷逃がし部は、前記回転体側突条部に形成された切り欠きからなる回転体側氷逃がし口を備えていることを特徴とする請求項１乃至７の何れか一項に記載のダンパ装置。
【請求項９】
前記回転体側氷逃がし口は、周方向の寸法が径方向外側より径方向内側で大であることを特徴とする請求項８に記載のダンパ装置。
【請求項１０】
前記支持体を前記冷気通路に設置した際に結露した水を前記回転体配置穴内から下方に流出させる水抜き経路を有していることを特徴とする請求項１乃至９の何れか一項に記載のダンパ装置。
【請求項１１】
前記カバーには、フィルムヒータが設けられていることを特徴とする請求項１乃至１０の何れか一項に記載のダンパ装置。
【請求項１２】
前記送りねじ機構は、前記回転体の外周面で螺旋状に延在する突条部と、前記回転体配置穴の内周面で螺旋状に延在し、前記突条部が内側に嵌った溝と、を有していることを特徴とする請求項１乃至１１の何れか一項に記載のダンパ装置。
【請求項１３】
前記支持体には、ファンユニットが連結されていることを特徴とする請求項１乃至１２の何れか一項に記載のダンパ装置。
【発明の詳細な説明】
【技術分野】
【０００１】
本発明は、冷気通路に設けられるダンパ装置に関するものである。
【背景技術】
【０００２】
冷蔵庫内への冷気の供給量を切り換えるためのダンパ装置としては、板状のバッフルの端部を中心に回転させて冷気通路の開度を切り換える方式のダンパ装置が提案されている（特許文献１参照）。また、冷気の吐出口に、開口部を備えたキャップを被せ、キャップの角度位置によって、冷気通路の開度を切り換える方式のダンパ装置も提案されている（特許文献２参照）。
【先行技術文献】
【特許文献】
【０００３】
【特許文献１】特開２００７−１５５１４６号公報
【特許文献２】特開平１１−１１８３１７号公報
【発明の概要】
【発明が解決しようとする課題】
【０００４】
特許文献１に記載の方式は、バッフルを開閉させるために大きなスペースを必要とする一方、特許文献２に記載の方式では、冷気通路を大きく開放するのに不適である。そこで、本願発明者は、カバーの回転体配置穴に回転体を配置し、回転体配置穴の内周面と回転体の外周面との間に構成した送りねじ機構によってカバーを直線的に移動させて、冷気通路の開度を切り換える方式を検討している。かかる方式によれば、カバーの移動に大きなスペースを必要とせず、かつ、冷気通路を大きく開放することができる等の利点がある。また、カバーに設けたカバー側凸部と回転体に設けた回転体側凸部とを当接させてストッパを設ければ、カバーの可動範囲を規定することができる。
【０００５】
しかしながら、冷気通路に配置するダンパ装置の場合にストッパを設けると、結露した水が回転体の外周面で氷結した際、氷がカバー側凸部と回転体側凸部とに挟まれて溶融し、その後、再度、氷結することがある。このような氷結が発生すると、カバー側凸部と回転体側凸部とが氷によって固着し、送りねじ機構が作動しなくなるという問題点がある。
【０００６】
以上の問題点に鑑みて、本発明の課題は、ストッパを構成するカバー側凸部と回転体側凸部との間に氷が挟まれても、カバーと回転体との氷を介しての固着の発生を抑制することのできるダンパ装置を提供することにある。
【課題を解決するための手段】
【０００７】
上記課題を解決するために、本発明に係るダンパ装置は、支持体と、該支持体に支持された回転駆動部と、該回転駆動部によって回転駆動される回転体と、該回転体が内側に配置された回転体配置穴を備え、冷気通路の開度を切り換えるカバーと、前記回転体の外周面と前記回転体配置穴の内周面との間に構成された送りねじ機構を備え、前記回転体の回転動作を前記カバーの前記回転体の中心軸線方向の直動動作に変換する回転直動変換機構と、前記カバーにおいて前記回転体配置穴の内周面より径方向内側に突出したカバー側凸部、および前記回転体から径方向外側に突出して前記カバー側凸部に対して前記中心軸線周りの一方側から当接可能な回転体側凸部を備えたストッパと、前記カバーにおいて前記回転体側凸部の前記中心軸線周りの一方側の端部に対する径方向外側で前記カバー側凸部と前記回転体側凸部とが接近した際に前記カバー側凸部と前記回転体側凸部との間から氷を逃がすカバー側氷逃がし部、および前記回転体において前記回転体側凸部の前記中心軸
線周りの他方側の端部に対する径方向内側で前記カバー側凸部と前記回転体側凸部とが接近した際に前記カバー側凸部と前記回転体側凸部との間から氷を逃がす回転体側氷逃がし部のうちの少なくとも一方を含む氷逃がし部と、を有することを特徴とする。
【０００８】
本発明では、回転駆動部の回転出力を、送りねじ機構を備えた回転直動変換機構を介してカバーに伝達し、カバーを支持体に対して直線移動させ、カバーによって、冷気通路の開度を切り換える。また、カバーに設けたカバー側凸部と回転体に設けた回転体側凸部とを当接させてストッパを構成し、カバーの可動範囲を規定する。ここで、結露した水が回転体の外周面で氷結すると、カバー側凸部と回転体側凸部とが接近した際、カバー側凸部と回転体側凸部との間で氷が挟まれることになるが、かかる氷は、カバー側凸部と回転体側凸部との間から氷逃がし部を通って排出される。このため、カバーと回転体との氷を介しての固着の発生を抑制することができる。
【０００９】
本発明において、前記氷逃がし部は、前記カバー側氷逃がし部および前記回転体側氷逃がし部の双方を含むことが好ましい。かかる構成によれば、カバー側凸部と回転体側凸部との間から氷を排出しやすい。
【００１０】
本発明において、前記カバーには、前記中心軸線方向の先端側で前記回転体配置穴の開口縁に沿って延在するカバー側突条部が形成されており、前記カバー側凸部は、前記カバー側突条部から径方向内側に突出し、前記カバー側氷逃がし部は、前記カバー側突条部に形成された切り欠きからなるカバー側氷逃がし口を備えていることが好ましい。かかる構成によれば、カバー側凸部と回転体側凸部との間からカバー側氷逃がし部を通って氷を排出しやすい。
【００１１】
本発明において、前記カバー側氷逃がし口は、周方向の寸法が径方向内側より径方向外側で大であることが好ましい。かかる構成によれば、カバー側凸部と回転体側凸部との間からカバー側氷逃がし部を通って氷を排出しやすい。
【００１２】
本発明において、前記カバー側凸部の前記一方側の端部は、前記回転体側凸部と当接可能なカバー側当接部と、該カバー側当接部より径方向外側で径方向外側に向くカバー側傾斜面と、を備えていることが好ましい。かかる構成によれば、カバー側凸部と回転体側凸部とが当接する面積が狭いので、カバー側凸部と回転体側凸部との間に氷が挟まれにくい。
【００１３】
本発明において、前記カバー側傾斜面は、前記カバー側氷逃がし口の前記他方側の面と連続した傾斜面を構成していることが好ましい。かかる構成によれば、カバー側凸部と回転体側凸部との間からカバー側氷逃がし部を通って氷を排出しやすい。
【００１４】
本発明において、前記カバー側当接部の径方向の寸法は、前記傾斜面の径方向の幅寸法より小であることが好ましい。かかる構成によれば、カバー側凸部と回転体側凸部とが当接する面積が狭いので、カバー側凸部と回転体側凸部との間に氷が挟まれにくい。
【００１５】
本発明において、前記回転体には、前記先端側の端面の外縁に沿って延在する回転体側突条部が形成されており、前記回転体側凸部は、前記回転体側突条部から径方向外側に突出し、前記回転体側氷逃がし部は、前記回転体側突条部に形成された切り欠きからなる回転体側氷逃がし口を備えていることが好ましい。かかる構成によれば、カバー側凸部と回転体側凸部との間から回転体側氷逃がし部を通って氷を排出しやすい。
【００１６】
本発明において、前記回転体側氷逃がし口は、周方向の寸法が径方向外側より径方向内側で大であることが好ましい。かかる構成によれば、カバー側凸部と回転体側凸部との間
から回転体側氷逃がし部を通って氷を排出しやすい。
【００１７】
本発明において、前記支持体を前記冷気通路に設置した際に結露した水を前記回転体配置穴内から下方に流出させる水抜き経路を有していることが好ましい。かかる構成によれば、結露した水が回転体の外周面と回転体配置穴の内周面との間に侵入しても、結露水は、水抜き経路を通って回転体配置穴内から下方に流出する。このため、回転体配置穴の内周面と回転体との間で結露水が氷結することを抑制することができるので、氷結に起因するカバーと回転体との固着を抑制することができる。それ故、冷気通路の開度を切り換えるカバーを送りねじ機構によって直動させる方式を採用した場合でも、結露水の氷結に起因する動作不良の発生を抑制することができる。
【００１８】
本発明において、前記カバーには、フィルムヒータが設けられていることが好ましい。かかる構成によれば、結露水の氷結を抑制することができる。
【００１９】
本発明において、前記送りねじ機構は、前記回転体の外周面で螺旋状に延在する突条部と、前記回転体配置穴の内周面で螺旋状に延在し、前記突条部が内側に嵌った溝と、を有している構成を採用することができる。
【００２０】
本発明において、前記支持体には、ファンユニットが連結されている構成を採用することができる。
【発明の効果】
【００２１】
本発明によれば、カバー側凸部と回転体側凸部とが接近した際、カバー側凸部と回転体側凸部との間で氷が挟まれることになるが、かかる氷は、カバー側凸部と回転体側凸部との間から氷逃がし部を通って排出される。このため、カバーと回転体との氷を介しての固着の発生を抑制することができる。
【図面の簡単な説明】
【００２２】
【図１】本発明の実施の形態１に係るダンパ装置の斜視図である。
【図２】本発明の実施の形態１に係るダンパ装置の分解斜視図である。
【図３】本発明の実施の形態１に係るダンパ装置の回転駆動部等の説明図である。
【図４】本発明の実施の形態１に係るダンパ装置のカバー等の説明図である。
【図５】本発明の実施の形態１に係るダンパ装置のストッパ等の説明図である。
【図６】本発明の実施の形態２に係るダンパ装置の氷逃がし部の説明図である。
【図７】本発明の実施の形態３に係るダンパ装置の氷逃がし部の説明図である。
【発明を実施するための形態】
【００２３】
以下に、図面を参照して、本発明を適用したダンパ装置の実施の形態を説明する。以下の説明では、回転体３の中心軸線Ｌが延在している方向（中心軸線Ｌ方向）において、カバー２が冷気通路１００を開状態とする側を一方側Ｌ１とし、カバー２が冷気通路１００を閉状態とする側を他方側Ｌ２として説明する。
【００２４】
［実施の形態１］
（全体構成）
図１は本発明の実施の形態１に係るダンパ装置１の斜視図であり、図１（ａ）はカバー２が閉位置にある状態の斜視図、図１（ｂ）はカバー２が開位置にある状態の斜視図である。図２は、本発明の実施の形態１に係るダンパ装置１の分解斜視図であり、図２（ａ）はカバー２を支持体６から取り外した状態の分解斜視図、図２（ａ）はファンユニット１０１を支持体６から取り外した状態の分解斜視図であり、図２（ｃ）はカバー２およびファンユニット１０１を支持体６から取り外した状態の分解斜視図である。図３は、本発明
の実施の形態１に係るダンパ装置１の回転駆動部５等の説明図であり、図３（ａ）は回転体３を回転駆動部５から取り外した状態の分解斜視図であり、図３（ｂ）は回転駆動部５の分解斜視図である。
【００２５】
図１および図２に示すように、本形態のダンパ装置１は、冷却空気等の冷気が流れるダクト等の冷気通路１００（二点鎖線で示す）の一端において冷気通路の開度を切り換える装置である。ダンパ装置１は、回転体３をその中心軸線Ｌ周りに回転駆動する回転駆動部５等を支持する支持体６を有している。また、ダンパ装置１は、回転体３が内側に配置される回転体配置穴２０を備えたカバー２を有しており、回転体３とカバー２の回転体配置穴２０との間には送りねじ機構７０が構成されている。回転体３、回転駆動部５、カバー２および送りねじ機構７０の構成は後述する。
【００２６】
（ファンユニット１０１の構成）
本形態のダンパ装置１は、支持体６に対してファンユニット１０１が一体に取り付けられている。ファンユニット１０１は、冷気通路１００の端部に取り付けられる枠体１０２と、枠体１０２に回転可能に支持された軸流羽根１０３と、軸流羽根１０３を回転させるファンモータユニット１０７とを備えている。ファンモータユニット１０７は、円筒形のモータケース１０８と、その内部に収納されたファンモータ（図示せず）とを備えている。枠体１０２には、円形の開口１０４が形成されており、かかる開口１０４は、冷気通路１００の内部に連通した状態にある。枠体１０２は、円形の開口１０４が形成された外枠１０５と、外枠１０５から開口１０４の中心に向けて放射状に延びる４本の支持フレーム１０６とを備えており、支持フレーム１０６によって、開口１０４の中央に対して中心軸線Ｌ方向で重なる位置でファンモータユニット１０７が支持されている。各支持フレーム１０６は、外枠１０５から中心軸線Ｌの一方側Ｌ１に向かってに延在する縦フレーム１０６ａと、縦フレーム１０６ａの先端端部から径方向内側に延びる横フレーム１０６ｂとを備えており、横フレーム１０６ｂは、ファンモータユニット１０７の外周面に接続されている。ファンモータユニット１０７の中心軸線Ｌ方向の他方側Ｌ２側の端部には、軸流羽根１０３が回転可能に取り付けられており、軸流羽根１０３は、ファンモータユニット１０７内に収納されたファンモータの出力回転に基づき、中心軸線Ｌ周りに回転する。
【００２７】
（支持体６の構成）
図２および図３に示すように、支持体６は、枠体１０２の外枠１０５と中心軸線Ｌ方向に重なる形状を有する外枠６１と、外枠６１から中心軸線Ｌの一方側Ｌ１に向かってに延在した後、径方向の内側に屈曲した４本の支持フレーム６２とを有している。
【００２８】
また、支持体６は、４本の支持フレーム６２の先端部を繋げる円環状のシール板６３と、シール板６３の中央部に形成された円筒状のモータ保持部６４とを有している。また、支持体６は、外枠６１の対角位置から中心軸線Ｌの一方側Ｌ１に向かって延在した２本のガイド軸６５と、ガイド軸６５とシール板６３とを繋ぐ補強フレーム６６とを有している。外枠６１の中央には円形の開口６９が形成されており、開口６９の中央に対して中心軸線Ｌ方向で重なる位置にモータ保持部６４が位置する。
【００２９】
このように構成した支持体６の中心軸線Ｌの他方側Ｌ２にファンユニット１０１を重ねると、支持フレーム６２の中心軸線Ｌの他方側Ｌ２に支持フレーム１０６が重なり、外枠６１と枠体１０２とが重なるとともに、開口６９と開口１０４とが重なる。この状態で、外枠６１と枠体１０２とをねじ（図示せず）によって連結させれば、支持体６とファンユニット１０１とが一体化する。従って、開口６９は、ファンモータユニット１０７の開口１０４を介して冷気通路１００の内部に連通した状態となる。
【００３０】
（回転駆動部５の構成）
図３に示すように、回転駆動部５は、支持体６のモータ保持部６４の内側に保持されたモータ５９と、減速輪列５０とを有している。モータ保持部６４には、モータ５９に対して中心軸線Ｌの一方側Ｌ１に円盤状の支持プレート６７が保持されているとともに、支持プレート６７を中心軸線Ｌの一方側Ｌ１で覆うように、有底筒状のホルダ６８が被せられており、ホルダ６８はモータ保持部６４にねじ６８０によって固定されている。このように構成した支持プレート６７とホルダ６８との間には減速輪列５０に用いた歯車が回転可能に支持されている。
【００３１】
本形態において、減速輪列５０は、モータ５９のピニオン（図示せず）に噛合する大径歯車部５１１を備えた１番車５１と、１番車５１の小径歯車部５１２に噛合する大径歯車部５２１を備えた２番車５２と、２番車５２の小径歯車部５２２に噛合する大径歯車部５３１を備えた３番車５３と、３番車５３の小径歯車部５３２に噛合する大径歯車部５４１を備えた４番車５４とを有している。
【００３２】
４番車５４には、中心軸線Ｌの一方側Ｌ１に向けて突出した筒部５４２が形成されており、筒部５４２の外周面には、周方向の複数個所に中心軸線Ｌに沿って凸部が延在するセレーション５４３が形成されている。ホルダ６８の底板部６８１の中央には穴６８２が形成されており、４番車５４の筒部５４２は、穴６８２から中心軸線Ｌの一方側Ｌ１に向けて突出している。
【００３３】
（回転体３の概略構成）
図１、図２および図３に示すように、回転体３は、円筒状の胴部３１と、中心軸線Ｌの一方側Ｌ１で胴部３１の開口を塞ぐ底板部３２とを有している。胴部３１は、底板部３２から中心軸線Ｌの一方側Ｌ１に突出している。このため、回転体３には、中心軸線Ｌの一方側Ｌ１に突出する回転体側突条部３１１が底板部３２の外周縁に沿って円環状に延在している。
【００３４】
底板部３２の中央には筒部３３が形成されており、筒部３３の内周面には、周方向の複数個所に中心軸線Ｌに沿って凸部が延在するセレーション３３０が形成されている。従って、中心軸線Ｌの一方側Ｌ１からホルダ６８およびモータ保持部６４を覆うように回転体３を被せる際、筒部３３の内側に４番車５４の筒部５４２を挿入し、セレーション５４３、３３０を結合させた後、中心軸線Ｌの一方側Ｌ１から筒部５４２の内側にワッシャ付きのねじ５６を止めれば、回転体３は、４番車５４と一体に回転可能な状態となる。
【００３５】
（カバー２の概略構成）
図４は、本発明の実施の形態１に係るダンパ装置１のカバー２等の説明図であり、図４（ａ）はダンパ装置１を中心軸線Ｌの一方側Ｌ１からみた正面図であり、図４（ｂ）はダンパ装置１の中央部をＹ１−Ｙ１′線に沿って切断した断面図、図４（ｃ）はカバー２を中心軸線Ｌの一方側Ｌ１からみた正面図、図４（ｄ）はカバー２の中央部をＹ２−Ｙ２′線に沿って切断した断面図である。なお、図４（ｂ）では、回転駆動部５のうち、４番車５４のみを図示してある。
【００３６】
図１、図２、図３および図４に示すように、カバー２は、端板部２１と、端板部２１の外周縁から中心軸線Ｌ方向の他方側Ｌ２に延在する側板部２２とを備えている。端板部２１は、正方形の４隅のうち、３個所を円弧状に面取りし、１個所を直線的に面取りした形状を有している。端板部２１の中央は、端板部２１から中心軸線Ｌ方向の一方側Ｌ１および他方側Ｌ２に突出する円筒部２３になっている。このため、端板部２１の中心軸線Ｌ方向の一方側Ｌ１の面には、円筒部２３の端部からなる円環状のカバー側突条部２３１が形成され、端板部２１の中心軸線Ｌ方向の他方側Ｌ２の面にも、円筒部２３の端部からなる円環状の突条部２３２が形成されている。また、カバー２の端板部２１には、支持体６の
ガイド軸６５が嵌ったガイド穴２１０が形成されている。
【００３７】
（送りねじ機構７０の構成）
円筒部２３の内側は、回転体３が内側に配置される回転体配置穴２０になっている。回転体３の外周面３１０と回転体配置穴２０の内周面２００との間には、送りねじ機構７０が構成されており、送りねじ機構７０は、ガイド軸６５およびガイド穴２１０からなる空周り防止部とともに、回転体３の回転動作をカバー２の中心軸線Ｌ方向の直動動作に変換する回転直動変換機構７を構成している。
【００３８】
本形態では、送りねじ機構７０は、回転体３の外周面３１０で螺旋状に延在する突条部３７と、カバー２の回転体配置穴２０の内周面２００で螺旋状に延在する溝２７とからなり、突条部３７は、溝２７の内側に嵌った状態にある。本形態では、溝２７を構成するにあたって、回転体配置穴２０の内周面２００の周方向の一部を径方向内側に張り出した肉厚部２６とし、かかる肉厚部２６に溝２７が形成された構造になっている。ここで、肉厚部２６（溝２７）は、周方向の２個所に形成されている。また、肉厚部２６は、回転体配置穴２０の中心軸線Ｌ方向の一方側Ｌ１の開口縁から他方側Ｌ２の開口縁まで形成されている。
【００３９】
このように構成したカバー２において、ダンパ装置１および支持体６を冷気通路１００に設置した状態で、肉厚部２６は、水平方向Ｘ（左右方向）の両側に位置する。
【００４０】
（ストッパ４の構成）
図５は、本発明の実施の形態１に係るダンパ装置１のストッパ等の説明図であり、図５（ａ）はストッパを中心軸線Ｌの一方側Ｌ１からみた斜視図であり、図５（ｂ）はストッパに設けた氷逃がし部の説明図である。
【００４１】
図５（ａ）に示すように、本形態のダンパ装置１では、カバー２の中心軸線Ｌの一方側Ｌ１の端部において回転体配置穴２０の内周面２００より径方向内側に突出したカバー側凸部２９と、回転体３の中心軸線Ｌの一方側Ｌ１の端部で径方向外側に突出してカバー側凸部２９に対して中心軸線Ｌ周りの反時計周りＣＣＷの側（中心軸線Ｌ周りの一方側）から当接可能な回転体側凸部３９とによって、ストッパ４が構成されている。かかるストッパ４は、カバー側凸部２９に対して回転体側凸部３９が当接することにより、これ以上の回転体３の回転を阻止し、カバー２の中心軸線Ｌの一方側Ｌ１への可動範囲を規定する。本形態において、ストッパ４は周方向の２個所に構成されている。
【００４２】
本形態において、カバー側凸部２９は、溝２７を形成するために設けた肉厚部２６の中心軸線Ｌ周りの反時計周りＣＣＷ側（中心軸線Ｌ周りの一方側）の端部からなり、カバー側突条部２３１から径方向内側に突出した部分からなる。また、回転体側凸部３９は、回転体側突条部３１１から径方向外側に突出した部分からなる。
【００４３】
（冷気通路１００の開度の切り換え動作）
本形態のダンパ装置１では、図１（ａ）に示すように、カバー２が中心軸線Ｌ方向の他方側Ｌ２にあって、カバー２の側板部２２が支持体６の外枠６１に接している状態で冷気通路が閉状態にある。このため、冷気通路１００から供給された冷気が遮断される。
【００４４】
この状態で、回転駆動部５のモータ５９が作動して回転体３が時計周りＣＷに回転すると、かかる回転動作は、送りねじ機構７０を備えた回転直動変換機構７を介してカバー２に伝達されるので、図１（ｂ）に示すように、カバー２は、中心軸線Ｌ方向の一方側Ｌ１に移動する。その結果、カバー２の側板部２２が支持体６の外枠６１から離間するため、冷気通路１００が開状態となる。このため、冷気通路１００から供給された冷気は、図１
（ｂ）に矢印Ｃで示すように、ダンパ装置１を介して冷蔵庫の庫内に供給される。その際、カバー２の中心軸線Ｌの一方側Ｌ１への可動範囲は、図５に示すストッパ４において、カバー側凸部２９に対して回転体側凸部３９が当接することにより、規定される。
【００４５】
そして、回転駆動部５のモータ５９が逆方向に回転し、回転体３が反時計周りＣＣＷに回転すると、かかる回転動作は、送りねじ機構７０を備えた回転直動変換機構７を介してカバー２に伝達されるので、図１（ａ）に示すように、カバー２は、中心軸線Ｌ方向の他方側Ｌ２に移動する。その結果、カバー２の側板部２２が支持体６の外枠６１に接する状態となるため、冷気通路１００が閉状態に戻る。
【００４６】
（水抜き経路８の構成）
図４（ｃ）に矢印Ｈで示すように、本形態のダンパ装置１では、ダンパ装置１および支持体６を冷気通路に設置した際に回転体３の外周面３１０等で結露した水を回転体配置穴２０内から下方に流出させる水抜き経路８が構成されている。
【００４７】
より具体的には、ダンパ装置１および支持体６を冷気通路１００に設置した状態で、回転体配置穴２０の開口縁のうち、下方側に位置する部分には、径方向外側に広がった切り欠き２８が形成されている。本形態では、送りねじ機構７０の溝２７を形成するための肉厚部２６を周方向の反対側の２個所に設けることにより、ダンパ装置１および支持体６を冷気通路１００に設置した状態で、２個所の肉厚部２６が水平方向に位置し、肉厚部２６が下方側に位置しない。本形態では、かかる構成を利用して、回転体配置穴２０の開口縁の下方側に切り欠き２８を設けてある。このため、回転体３の外周面３１０で結露した水は、回転体３の外周面３１０に形成された螺旋状の突条部３７、回転体配置穴２０の溝２７、回転体配置穴２０の内周面２００等の各部位を伝って切り欠き２８に導かれ、排出される。このように、水抜き経路８は、回転体配置穴２０の内周面２００と、切り欠き２８とを含んで構成されている。
【００４８】
ここで、切り欠き２８は、中心軸線Ｌ方向からみて回転体配置穴２０の内周面２００側で送りねじ機構７０を構成する溝２７および肉厚部２６に周方向で挟まれた全域に円弧状に形成されており、周方向の形成範囲が長い。
【００４９】
また、切り欠き２８は、回転体配置穴２０の中心軸線Ｌ方向の一方側Ｌ１の縁から他方側Ｌ２の縁まで形成されている。また、切り欠き２８の内面は、中心軸線Ｌに対して一方側Ｌ１に向けて傾斜したテーパ面２８０を有している。
【００５０】
なお、本形態では、ダンパ装置１および支持体６を冷気通路に設置した状態で、回転体配置穴２０の開口縁のうち、上方に位置する部分にも、下方側の切り欠き２８と同様な切り欠き２８が形成されており、ダンパ装置１および支持体６を上下反転して冷気通路に設置した場合でも、回転体３の外周面３１０等で結露した水を回転体配置穴２０内から下方に流出させる水抜き経路８が構成されることになる。このため、回転体配置穴２０の開口縁側では、肉厚部２６、切り欠き２８、肉厚部２６および切り欠き２８が周方向に隣り合うように形成されており、回転体配置穴２０の開口縁は、周方向の各部位が送りねじ機構７０用の溝２７の形成領域、および水抜き経路８用の切り欠き２８のいずれかとして利用されている。本形態において、溝２７は周方向において１個所当たり約９０°の角度範囲にわたって２個所に形成され、切り欠き２８も周方向において１個所当たり約９０°の角度範囲にわたって２個所形成されている。肉厚部２６は、溝２７によって周方向で２つの部分２６０に２分割されており、切り欠き２８の１個所当たりの角度範囲は、肉厚部２６において溝２７を周方向の両側で挟む部分２６０（図４（ｄ）参照）の１個所当たりの角度範囲より広い。
【００５１】
このように構成した場合、回転体３の外周面３１０とカバー２の回転体配置穴２０の内周面２００との間には、切り欠き２８に起因する大きな隙間が発生する。但し、支持体６には、中心軸線Ｌ方向で回転体３と他方側Ｌ２で隣り合う位置に中心軸線Ｌ方向からみて回転体３の外周面３１０と回転体配置穴２０の内周面２００との隙間に重なるシール板６３を備えている。このため、回転体３の外周面３１０とカバー２の回転体配置穴２０の内周面２００との間はシール板６３で覆われる。また、カバー２は、中心軸線Ｌ方向の他方側Ｌ２に向けて突出する円環状の突条部２３２を有しており、カバー２が中心軸線Ｌ方向の他方側Ｌ２（シール板６３が位置する側）に移動した際、突条部２３２は、全周にわたってシール板６３と接触することになる。それ故、切り欠き２８から冷気が漏れにくい。
【００５２】
（氷逃がし部９の構成）
図５（ａ）を参照して説明したように、本形態では、カバー２のカバー側凸部２９と、回転体３の回転体側凸部３９とによってストッパ４が構成されている。このため、カバー側凸部２９と回転体側凸部３９とが接近した際、回転体３の外周面で結露した水が氷結することによって発生した氷が、溝２７および突条部３７によって運ばれ、図５（ｂ）に示すように、カバー側凸部２９と回転体側凸部３９との間に氷Ｐが挟まれることになる。
【００５３】
そこで、本形態では、カバー２においてカバー側凸部２９の中心軸線周りの反時計周りＣＣＷ側（中心軸線Ｌ周りの一方側）の端部２９０に対する径方向外側には、カバー側凸部２９と回転体側凸部３９とが接近した際、矢印Ｗａで示すように、カバー側凸部２９と回転体側凸部３９との間から径方向外側に氷Ｐを逃がす氷逃がし部９（カバー側氷逃がし部９ａ）が構成されている。
【００５４】
本形態において、カバー２には、中心軸線Ｌ方向の先端側（一方側Ｌ１）で回転体配置穴２０の開口縁に沿って延在するカバー側突条部２３１が形成されており、カバー側凸部２９は、カバー側突条部２３１から径方向内側に突出している。そこで、本形態では、カバー側突条部２３１には切り欠きが形成されており、かかる切り欠きによって、カバー側氷逃がし部９ａのカバー側氷逃がし口２９９が構成されている。かかるカバー側氷逃がし口２９９においては、周方向で対向する面２９９ａ、２９９ｂのうち、中心軸線周りの時計周りＣＷ側（中心軸線Ｌ周りの他方側）に位置する面２９９ｂは、径方向外側に位置する部分程、面２９９ａから離間する方向に傾いた傾斜面になっている。このため、カバー側氷逃がし口２９９は、周方向の寸法が径方向内側より径方向外側で大である。
【００５５】
また、カバー側凸部２９の反時計周りＣＣＷ側（一方側Ｌ１）の端部２９０は、回転体側凸部３９と当接可能なカバー側当接部２９２と、カバー側当接部２９２より径方向外側で径方向外側に向くカバー側傾斜面２９３とを備えており、カバー側傾斜面２９３は、カバー側氷逃がし口２９９の時計周りＣＷ側の面２９９ｂと連続した傾斜面２９５を構成している。このため、カバー側当接部２９２の径方向の寸法は、カバー側傾斜面２９３とカバー側氷逃がし口２９９の時計周りＣＷ側の面２９９ｂとからなる傾斜面の径方向の幅寸法より小である。
【００５６】
（本形態の主な効果）
以上説明したように、本形態のダンパ装置１においては、回転駆動部５の回転出力を、送りねじ機構７０を備えた回転直動変換機構７を介してカバー２に伝達し、カバー２を支持体６に対して直線移動させ、カバー２によって、冷気通路の開度を切り換える。その際、結露した水が回転体３の外周面３１０と回転体配置穴２０の内周面２００との間に侵入しても、結露水は、水抜き経路８を通って回転体配置穴２０内から下方に流出する。このため、回転体配置穴２０の内周面２００と回転体３との間で結露水が氷結することを抑制することができるので、氷結に起因するカバー２と回転体３との固着を抑制することができる。それ故、冷気通路の開度を切り換えるカバー２を送りねじ機構７０によって直動さ
せる方式を採用した場合でも、結露水の氷結に起因する動作不良の発生を抑制することができる。
【００５７】
また、回転体配置穴２０の開口縁の周方向の一部には、径方向外側に広がった切り欠き２８が形成されており、水抜き経路８は、回転体配置穴２０の内周面２００と切り欠き２８とを含んで構成されている。このため、カバー２に対して切り欠き２８を形成する等の設計変更により、水抜き経路８を構成することができる。
【００５８】
また、切り欠き２８の内面は、中心軸線Ｌに対して傾斜したテーパ面２８０になっている。従って、切り欠き２８で受け止めた結露水をスムーズに流出させることができる。また、切り欠き２８は、回転体配置穴２０の中心軸線Ｌ方向の一方側Ｌ１の縁から他方側Ｌ２の縁まで形成されているため、結露水を切り欠き２８で受けて流出させやすい。また、切り欠き２８は、中心軸線Ｌ方向からみて円弧状に形成されており、切り欠き２８が形成されている範囲が広い。従って、結露水を切り欠き２８で受けて流出させやすい。
【００５９】
また、支持体６は、中心軸線Ｌ方向で回転体３と隣り合う位置に中心軸線Ｌ方向からみて回転体３の外周面３１０と回転体配置穴２０の内周面２００との間と重なるシール板６３を備えている。このため、回転体配置穴２０に切り欠き２８を設けた場合でも、切り欠き２８を介しての冷気の漏れを抑制することができる。また、カバー２は、中心軸線Ｌ方向でシール板６３側に移動した際にシール板６３と接触する突条部２３２を有している。このため、切り欠き２８を介しての冷気の漏れを抑制することができる。
【００６０】
また、本形態では、カバー２に設けたカバー側凸部２９と回転体３に設けた回転体側凸部３９とを当接させてストッパ４を構成し、カバー２の可動範囲を規定する。このため、送りねじ機構７０において、回転体３の突条部３７がカバー２の溝２７から外れることがない。
【００６１】
ここで、結露した水が回転体３の外周面３１０で氷結すると、カバー側凸部２９と回転体側凸部３９とが接近した際、カバー側凸部２９と回転体側凸部３９との間で氷Ｐが挟まれることになるが、かかる氷Ｐは、カバー側凸部２９と回転体側凸部３９との間からカバー側氷逃がし部９ａ（氷逃がし部９）を介して径方向外側に排出される。従って、カバー側凸部２９と回転体側凸部３９とが氷Ｐによって固着することに起因してカバー２が移動不能となることを抑制することができる。
【００６２】
また、カバー２には、中心軸線Ｌ方向の先端側（一方側Ｌ１）で回転体配置穴２０の開口縁に沿って延在するカバー側突条部２３１が形成されており、ストッパ４を構成するカバー側凸部２９は、カバー側突条部２３１から径方向内側に突出している。従って、カバー側突条部２３１に切り欠きを形成することにより、カバー側氷逃がし部９ａのカバー側氷逃がし口２９９を構成することができる。従って、カバー側凸部２９と回転体側凸部３９との間からカバー側氷逃がし部９ａを通って氷を径方向外側に排出しやすい。
【００６３】
また、カバー側氷逃がし口２９９は、周方向の寸法が径方向内側より径方向外側で大であるため、カバー側凸部２９と回転体側凸部３９との間からカバー側氷逃がし部９ａを通って氷Ｐを排出しやすい。また、カバー側凸部２９の反時計周りＣＣＷ側（一方側）の端部２９０は、回転体側凸部３９と当接可能なカバー側当接部２９２と、カバー側当接部２９２より径方向外側で径方向外側に向くカバー側傾斜面２９３とを備えている。このため、カバー側凸部２９と回転体側凸部３９とが当接する面積が狭いので、カバー側凸部２９と回転体側凸部３９との間に氷Ｐが挟まれにくい。
【００６４】
また、カバー側傾斜面２９３は、カバー側氷逃がし口２９９の時計周りＣＷ側（他方側
）の面２９９ｂと連続した傾斜面２９５を構成している。このため、カバー側凸部２９と回転体側凸部３９との間からカバー側氷逃がし部９ａを通って氷Ｐを径方向外側に排出しやすい。また、カバー側当接部２９２の径方向の寸法は、傾斜面２９５の径方向の幅寸法より小である。このため、カバー側凸部２９と回転体側凸部３９とが当接する面積が狭いので、カバー側凸部２９と回転体側凸部３９との間に氷Ｐが挟まれにくい。
【００６５】
［実施の形態２］
図６は、本発明の実施の形態２に係るダンパ装置１の氷逃がし部９の説明図であり、図６（ａ）はストッパ４を中心軸線Ｌの一方側Ｌ１からみた斜視図であり、図６（ｂ）はストッパ４に設けた氷逃がし部の説明図である。
【００６６】
図６に示すように、本形態でも、実施の形態１と同様、カバー２の回転体配置穴２０の内周面より径方向内側に突出したカバー側凸部２９と、カバー側凸部２９に対して中心軸線Ｌ周りの反時計周りＣＣＷ側（中心軸線Ｌ周りの一方側）から当接可能な回転体側凸部３９とを備えたストッパ４が構成されている。このため、図６（ｂ）に示すように、カバー側凸部２９と回転体側凸部３９とが接近した際、回転体３の外周面で結露した水が氷結することによって発生した氷Ｐが、カバー側凸部２９と回転体側凸部３９との間に挟まれることになる。
【００６７】
そこで、本形態では、回転体３において回転体側凸部３９の中心軸線Ｌ周りの時計周りＣＷ側（中心軸線Ｌ周りの他方側）の端部３９０に対する径方向内側には、カバー側凸部２９と回転体側凸部３９とが接近した際、矢印Ｗｂで示すように、カバー側凸部２９と回転体側凸部３９との間から径方向内側に氷Ｐを逃がす氷逃がし部９（回転体側氷逃がし部９ｂ）が構成されている。
【００６８】
本形態において、回転体３には、中心軸線Ｌ方向の先端側（一方側Ｌ１）で底板部３２の外縁に沿って回転体側突条部３１１が形成されており、回転体側凸部３９は、回転体側突条部３１１から径方向外側に突出している。そこで、本形態では、回転体側突条部３１１には切り欠きが形成されており、かかる切り欠きによって、回転体側氷逃がし部９ｂの回転体側氷逃がし口３９９が構成されている。ここで、回転体側氷逃がし口３９９において、周方向で対向する面３９９ａ、３９９ｂのうち、中心軸線Ｌ周りの反時計周りＣＣＷ側（中心軸線Ｌ周りの他方側）に位置する面２９９ａは、径方向内側に位置する部分程、面２９９ｂから離間する方向に傾いた傾斜面になっている。このため、回転体側氷逃がし口３９９は、周方向の寸法が径方向外側より径方向内側で大である。
【００６９】
このように構成した場合も、カバー側凸部２９と回転体側凸部３９とが接近した際、カバー側凸部２９と回転体側凸部３９との間で氷Ｐが挟まれることになるが、かかる氷Ｐは、カバー側凸部２９と回転体側凸部３９との間から回転体側氷逃がし部９ｂ（氷逃がし部９）を介して径方向外側に排出することができる。それ故、本形態によれば、実施の形態１と同様、カバー側凸部２９と回転体側凸部３９とが氷Ｐによって固着することに起因してカバー２が移動不能となることを抑制することができる。
【００７０】
また、回転体側氷逃がし口３９９は、周方向の寸法が径方向外側より径方向内側で大であるため、カバー側凸部２９と回転体側凸部３９との間から回転体側氷逃がし部９ｂを通って氷Ｐを排出しやすい。
【００７１】
［実施の形態３］
図７は、本発明の実施の形態３に係るダンパ装置１の氷逃がし部９の説明図であり、図７（ａ）はストッパ４を中心軸線Ｌの一方側Ｌ１からみた斜視図であり、図７（ｂ）はストッパ４に設けた氷逃がし部の説明図である。
【００７２】
図７に示すように、本形態でも、実施の形態１、２と同様、カバー２の回転体配置穴２０の内周面より径方向内側に突出したカバー側凸部２９と、カバー側凸部２９に対して中心軸線Ｌ周りの反時計周りＣＣＷ側（中心軸線Ｌ周りの一方側）から当接可能な回転体側凸部３９とを備えたストッパ４が構成されている。
【００７３】
また、本形態でも、実施の形態２と同様、回転体３において回転体側凸部３９の中心軸線Ｌ周りの時計周りＣＷ側（中心軸線Ｌ周りの他方側）の端部３９０に対する径方向内側には、カバー側凸部２９と回転体側凸部３９とが接近した際、矢印Ｗｂで示すように、カバー側凸部２９と回転体側凸部３９との間から径方向内側に氷Ｐを逃がす氷逃がし部９（回転体側氷逃がし部９ｂ）が構成されている。また、回転体側突条部３１１には切り欠きが形成されており、かかる切り欠きによって、回転体側氷逃がし部９ｂの回転体側氷逃がし口３９９が構成されている。また、回転体側氷逃がし口３９９は、周方向の寸法が径方向外側より径方向内側で大である。
【００７４】
また、本形態では、実施の形態１と同様、カバー２においてカバー側凸部２９の中心軸線周りの反時計周りＣＣＷ（中心軸線Ｌ周りの一方側）の端部２９０に対する径方向外側には、カバー側凸部２９と回転体側凸部３９とが接近した際、矢印Ｗａで示すように、カバー側凸部２９と回転体側凸部３９との間から径方向外側に氷を逃がす氷逃がし部９（カバー側氷逃がし部９ａ）が構成されている。また、カバー側突条部２３１には切り欠きが形成されており、かかる切り欠きによって、カバー側氷逃がし部９ａのカバー側氷逃がし口２９９が構成されている。ここで、カバー側氷逃がし口２９９は、周方向の寸法が径方向内側より径方向外側で大である。また、カバー側凸部２９の反時計周りＣＣＷ側の端部２９０は、回転体側凸部３９と当接可能なカバー側当接部２９２と、カバー側当接部２９２より径方向外側で径方向外側に向くカバー側傾斜面２９３とを備えており、カバー側傾斜面２９３は、カバー側氷逃がし口２９９の時計周りＣＷ側の面２９９ｂと連続した傾斜面２９５を構成している。このため、カバー側当接部２９２の径方向の寸法は、カバー側傾斜面２９３とカバー側氷逃がし口２９９の時計周りＣＷ側の面２９９ｂとからなる傾斜面の径方向の幅寸法より小である。
【００７５】
このように構成した場合には、カバー側凸部２９と回転体側凸部３９とが接近した際、カバー側凸部２９と回転体側凸部３９との間で氷Ｐが挟まれることになるが、かかる氷Ｐは、カバー側凸部２９と回転体側凸部３９との間から、回転体側氷逃がし部９ｂ（氷逃がし部９）を介して径方向外側に排出することができるとともに、ケース側氷逃がし部９ａ（氷逃がし部９）を介して径方向内側に排出することができる。それ故、本形態によれば、実施の形態１、２と比較して、カバー側凸部２９と回転体側凸部３９とが氷によって固着することに起因してカバー２が移動不能となることをより確実に抑制することができる。
【００７６】
（別の実施の形態）
上記実施の形態では、水抜き経路８や氷逃がし部９によってカバー２と回転体３とが氷によって固着することを防止したが、カバー２の内面等にフィルムヒータが設けてもよい。かかる構成によれば、フィルムヒータによって、カバー２を所定のタイミングで加熱することにより、カバー２と回転体３とが氷によって固着することを防止することができる。また、カバー２と回転体３とが氷によって固着した場合でも、フィルムヒータによって、カバー２を加熱することにより、カバー２と回転体３とを固着している氷を融解することができる。
【００７７】
（他の実施の形態）
上記実施の形態では、支持体６にファンユニット１０１が連結された構成であったが、
支持体６とファンユニット１０１とが分離して配置されるダンパ装置１に本発明を適用してもよい。
【００７８】
上記実施の形態では、送りねじ機構７０を構成するにあたって、回転体３の外周面３１０に突条部３７を形成し、回転体配置穴２０の内周面２００に溝２７を形成したが、回転体３の外周面３１０に溝を形成し、回転体配置穴２０の内周面２００に突条部を形成してもよい。また、送りねじ機構７０を構成するにあたっては、回転体３の外周面３１０および回転体配置穴２０の内周面２００の一方に溝を形成し、他方に溝に嵌るピン状の突起を形成してもよい。
【符号の説明】
【００７９】
１  ダンパ装置
２  カバー
３  回転体
４  ストッパ
５  回転駆動部
６  支持体
７  回転直動変換機構
８  水抜き経路
９  氷逃がし部
９ａ  カバー側氷逃がし部
９ｂ  回転体側氷逃がし部
２０  回転体配置穴
２７  溝
２８  切り欠き
２９  カバー側凸部
３７  突条部
３９  回転体側凸部
６３  シール板
７０  送りねじ機構
１００  冷気通路
１０１  ファンユニット
２００  回転体配置穴の内周面
２３１  カバー側突条部
２８０  テーパ面
２９２  カバー側当接部
２９３  カバー側傾斜面
２９５  傾斜面
２９９  カバー側氷逃がし口
３１０  回転体の外周面
３１１  回転体側突条部
３９９  回転体側氷逃がし口
【図１】
2015200476.tif 000003
【図２】
2015200476.tif 000004
【図３】
2015200476.tif 000005
【図４】
2015200476.tif 000006
【図５】
2015200476.tif 000007
【図６】
2015200476.tif 000008
【図７】
2015200476.tif 000009